(57)【要約】【課題】釣竿に安定した状態で確実に装着し、元竿管内に収容される小径竿管および釣糸ガイドの損傷を防止することができる竿先保護カバーを提供すること【解決手段】基端側の一側に、穂先側の小径竿管を順に収容した元竿管１６の先端部を受入れる側部開口２４を形成し、この側部開口から先端側に向けて釣糸ガイドを挿通するスリット２６を延設した筒状本体２２と、この筒状本体の基端側に取付けられる締付けベルト２８とを備え、側部開口２４を介して収容した元竿管１６の先端部をこの締付けベルト２８で筒状本体２２に締付けたときに、この元竿管の中心軸１６ａを、穂先側で前記スリット２６から離隔する方向に傾けて固定する竿先保護カバー。【選択図】　　図１
2004089019.tif 000002
【特許請求の範囲】
【請求項１】
基端側の一側に、穂先側の小径竿管を順に収容した元竿管の先端部を受入れる側部開口を形成し、この側部開口から先端側に向けて釣糸ガイドを挿通するスリットを延設した筒状本体と、この筒状本体の基端側に取付けられる締付けベルトとを備え、側部開口を介して収容した元竿管の先端部をこの締付けベルトで筒状本体に締付けたときに、この元竿管の中心軸を、穂先側で前記スリットから離隔する方向に傾けて固定することを特徴とする竿先保護カバー。
【請求項２】
前記筒状本体の基端部に固定され、スリットと対向する側で筒状本体の内面から突出する突出部を有し、前記締付けベルトは、この突出部よりも先端側で元竿管を締付けることを特徴とする請求項１に記載の竿先保護カバー。
【請求項３】
前記突起部は、柔軟性部材で形成されていることを特徴とする請求項２に記載の竿先保護カバー。
【請求項４】
前記締付けベルトに対応する位置で、筒状本体の内面から突出し、この締付けベルトで締付けられた元竿管を支える受部を有し、この受部が筒状本体の内面から突出する高さは、前記突出部よりも低いことを特徴とする請求項２又は３に記載の竿先保護カバー。
【請求項５】
前記突出部と受部とは、それぞれ筒状本体と元竿管とに柔軟性部材を介して当接することを特徴とする請求項４に記載の竿先保護カバー。
【発明の詳細な説明】
【０００１】
【発明の属する技術分野】
本発明は、元竿管に穂先側の小径竿管を順に収納した状態の振出式釣竿の竿先を保護する竿先保護カバーに関する。
【０００２】
【従来の技術】
一般に、磯竿や渓流竿等の大径の振出式釣竿を収納状態で持ち歩く際、元竿管の先端から突出する小径の穂先竿管の先端を保護するためのトップカバーが市販されている。
このようなトップカバーは、元竿管から突出する穂先側の竿管の先端部を収納する先細状の筒状収納部と、この筒状収納部の基端側から突出する腕部と、この腕部に取付けられたゴムバンドとを有し、このゴムバンドにより、腕部と元竿管とを締付け、固定することができる。この腕部と元竿管との間にはゴムバンドと同じ幅のゴムシートが介挿され、緩衝材として作用する。
【０００３】
また、例えば実開平２−６４６１号公報には、繊維強化樹脂製の細長い筒状体の一側に、この筒状体の開口側から長手方向に沿って細長い切欠部を形成した竿先保護カバーが記載されている。この竿先保護カバーは、切欠部を介して釣糸ガイドを突出させ、元竿管の先端を収容した開口側がその弾性で元竿管を締付けることにより、固定する。
【０００４】
【発明が解決しようとする課題】
しかし、上述の市販のトップカバーは、例えば振出式スピニングルアーロッドのように、リールから放出される糸の抵抗を抑制し、収束性をよくするために、釣糸を案内するガイドリングの口径が大きくかつこのガイドリングを支える支持脚の高さが高い片足大口径ガイドが設けられている場合には、これらの片足大口径ガイドをその収納部に収納した状態で固定することができない。これは、ルアーロッドの全体が細径構造に形成されていることに加え、片足大口径ガイドが竿管から突出する高さが高く、このような大口径ガイドを竿管上に固定する固定部の外径および軸方向寸法が大きくなるためである。
【０００５】
更に、このようなトップカバーでは、腕部と竿管との間に緩衝材としてゴムシートが介挿されているため、元竿管とトップカバーとの間の滑りを防止することが可能であるとしても、トップカバーのぐら付きを防止することはできず、この元竿管内に収容された小径の竿管が、比較的自由に動くことができる。このため、特に片足大口径ガイドのように重い釣糸ガイドを装着した竿管の移動できる距離が大きい場合には、この竿管あるいは釣糸ガイドに大きな衝撃力が作用し、特に細径の穂先竿管あるいはトップガイドが破損する可能性がある。
【０００６】
また、実開平２−６４６１号公報に記載の竿先保護カバーについても、繊維強化樹脂製の筒状体の基端側を元竿管の先端に直接係止するため、元竿管の表面に傷が形成される可能性がある。更に、元竿管と筒状体とが同軸状に配置されるため、元竿管内に収納された穂先側の竿管が筒状体内で自由に動くことが可能であり、上述のトップカバーと同様な問題を生じる。また、筒状体内で小径竿管が移動した場合には、その衝撃で筒状体も元竿管上を摺動し、元竿管の表面に傷をつける可能性がある。
【０００７】
本発明は、上述のような事情に基づいてなされたもので、釣竿に安定した状態で確実に装着することができると共に、元竿管内に収容される小径竿管および釣糸ガイドの損傷を防止することができる竿先保護カバーを提供することを目的とする。
【０００８】
【課題を解決するための手段】
上記目的を達成する本発明の竿先保護カバーは、基端側の一側に、穂先側の小径竿管を順に収容した元竿管の先端部を受入れる側部開口を形成し、この側部開口から先端側に向けて釣糸ガイドを挿通するスリットを延設した筒状本体と、この筒状本体の基端側に取付けられる締付けベルトとを備え、側部開口を介して収容した元竿管の先端部をこの締付けベルトで筒状本体に締付けたときに、この元竿管の中心軸を、穂先側で前記スリットから離隔する方向に傾けて固定することを特徴とする。
【０００９】
【発明の実施の形態】
図１から図６は、本発明の好ましい実施形態による竿先保護カバー２０を示す。この竿先保護カバー２０は、例えば振出式スピニングルアーロッド１８を収納状態で持ち歩く際、元竿管１６の先端から突出する小径の穂先竿管１４および中竿管１２ａ〜１２ｅを保護するのに適したものである。
本実施形態の竿先保護カバー２０が保護するルアーロッド１８は、これに限るものではないが、図１に例示するルアーロッド１８について簡単に説明すると、次のような構造を備えている。
【００１０】
すなわち、このようなルアーロッド１８は、竿尻側に位置する大径の元竿管１６と穂先側の穂先竿管１４との間に、複数の中竿管１２ａ〜１２ｅを継合わせた全体に細径かつ軽量構造に形成される。そして、図示しない魚釣用リールから繰出した釣糸を案内するため、トップガイド１０を穂先竿１４の先端に固定し、各中竿管の先端部にはそれぞれ釣糸ガイド８ａ〜８ｅを固定してある。これらの釣糸ガイド８ａ〜８ｅは、特に元竿１６に固定した魚釣用リールから螺旋状に繰出される釣糸に与える抵抗を抑制しつつトップガイド１０まで導くために、トップガイド１０から竿尻側に離隔するほどガイドリングの口径が大きくかつ竿管から突出する高さを高く形成してある。特に、元竿管１６の近くに配置される中竿管１２ｄ，１２ｅの釣糸ガイド８ｄ，８ｅは口径の大きなガイドリングを竿管から離隔した位置に保持するため、竿管上に固定する固定部の外径および軸方向寸法が大きく、したがって、図１に示す収納状態であっても、元竿管１６内に収納できずに玉口部から突出する長さが長い。なお、元竿管１６と穂先竿管１４との間に配置する中竿管１２ａ〜１２ｅの本数については図示のような５本以外であってもよく、上述のような固定式の釣糸ガイド８ａ〜８ｅの他に、竿管上を移動可能な遊動ガイド（図示しない）を有するものであってもよい。
【００１１】
図１および図２に示すように、このようなルアーロッド１８の元竿管１６の先端部に固定して収納状態のルアーロッド１８を保護する本実施形態の竿管保護カバー２０は、両端が開口した中空円筒状の筒状本体２２を備える。この筒状本体２２は、全長にわたって均等な肉厚に形成した長尺のパイプ状部材から所要長さに切断することで形成してもよく、あるいは、当初から所要長さに形成したものでもよい。いずれの場合も、この筒状本体２２は、ルアーロッド１８の収納状態（図１）で元竿管１６の先端部から突出する部分を収容できる内径および軸方向長さに形成する。この筒状本体２２は、例えばポリカーボネート（ＰＣ）、ＡＢＳ樹脂、ナイロン等の樹脂材料、繊維強化樹脂、あるいは、アルミニウム、真鍮（ＢＳ）等の金属材料により、肉厚０．５〜３ｍｍ、長さ１２０〜１６０ｍｍ、内径９〜１５ｍｍ程度に形成することが好ましい。
【００１２】
この筒状本体２２の基端側の一側には、元竿管１６の先端部を側方から受入れ可能な側部開口２４を形成し、この側部開口２４から先端側に向けて、釣糸ガイド８ａ〜８ｅを挿通するスリット２６を形成してある。このスリット２６は、穂先側の例えば中竿管１２ａ，１２ｂに固定した釣糸ガイド８ａ，８ｂとの干渉を防止するために、これらの釣糸ガイド８ａ，８ｂのガイドリングを挿通可能な、例えば７．５ｍｍであるのが好ましい５〜９ｍｍの幅に形成してある。このような側部開口２４およびスリット２６は、例えばフライス盤を用いて加工することにより、極めて簡単に形成することができる。
【００１３】
また、この筒状本体２２の基端部の外面部には、ルアーロッド１８の元竿１６の先端部を筒状本体に締め付ける締付けベルト２８の一端が固定されている。この締付けベルト２８は、元竿管１６の損傷を防止するために、例えばゴム、エラストマー、皮革等の柔軟性部材で形成することが好ましい。この締付けベルト２８は、適宜の手段で筒状本体２２に固定することが可能であるが、本実施形態では、図３に拡大して示すように、筒状本体２２の基端部に形成した取付孔３０に、筒状本体の内面側から小ねじ３２を挿通し、この小ねじ３２を締付けベルト２８に挿通した後、止金具を兼用する袋ナット状の締付け部材３４に螺合することで、締付けベルト２８を筒状本体２２の基端部に固着している。
【００１４】
この締付けベルト２８の適宜位置に、複数のベルト孔２８ａを形成してあり、この締付けベルト２８を元竿管１６の周部に巻き付け、所要位置のベルト孔２８ａに締付け部材３４の先端に形成した球状頭部を挿通することで、元竿管１６と筒状本体２２とを一体的に締付けることができる。また、この締付けベルト２８が途中で破断した場合には、締付け部材３４を小ねじ３２から外し、締付けベルト２８のみを交換することができる。
【００１５】
更に、小ねじ３２の基端側で、側部開口２４およびスリット２６に対向する部位に、筒状本体２２の内面から突出する突出部３６を配置してある。この突出部３６は、側部開口２４およびスリット２６に対向する側で最も高く筒状本体２２の内面から突出している。このため、元竿管１６を締付けベルト２８で筒状本体２２に締め付けたときに、元竿管１６の中心軸１６ａが、穂先側でスリット２６および筒状本体２２の中心軸線Ｃから離隔する方向に傾斜する。
【００１６】
本実施形態では、突出部３６は、例えばゴム、エラストマー、コルク、発泡剤、スポンジ等で形成した柔軟性厚肉部材３８を、例えばゴム、エラストマー、コルク、発泡剤、スポンジ等で形成したクッション材４０で挟み込み、筒状本体２２の内面から０．９〜２．８ｍｍ程度の高さに突出させてある。このクッション材４０は、更に、筒状本体２２に近接する内側端部４０ａとその反対側の外側端部４０ｂとを厚肉部材３８から先端側に延設し、内側端部４０ａを小ねじ３２の頭部と筒状本体２２との間の緩衝材として作用させ、外側端部４０ｂを元竿管１６が小ねじ３２の頭部に直接接触するのを防止する緩衝材として作用させている。
【００１７】
図４および図５は、突出部３６を形成する本実施形態の厚肉部材３８とクッション材４０とを示す。厚肉部材３８は厚さが小ねじ３２の頭部よりも厚い０．５〜１．５ｍｍ、長さが３〜７ｍｍ、幅が３〜７ｍｍの板ゴムで形成してある。また、クッション材４０は、厚さが０．２〜０．８ｍｍ、長さが５３〜６５ｍｍ、小ねじ３２の挿通孔３９を形成した内側端部４０ａ側の幅が４〜８ｍｍ、外側端部４０ｂ側の幅が１０〜１４ｍｍに形成してあり、厚肉部材３８を挟み込んで筒状部材に取り付けたときに、外側端部４０ｂが厚肉部材３８、小ねじ３２の頭部および内側端部４０ａを完全に覆い、外部に露出するのを防止する。これらの厚肉部材３８とクッション材とは、いずれもＪＩＳＫ６２５３によるデュロメータ硬さ試験、タイプＥによる硬度で測定したゴム硬度を４０°〜６０°に形成してある。このような硬さとすることにより、元竿管１６に傷が付くのを防止すると共に、締付けベルト２８を締付けたときに、強固かつ確実に固定することができる。
【００１８】
図６の（Ａ）に交差線で示すように、クッション材４０の一側には、全面にわたって接着剤あるいは両面粘着テープを配置し、反対側には、図６の（Ｂ）に示すように、幅狭の内側端部４０ａ側すなわち筒状本体２２に接する部分のみに接着剤あるいは両面粘着テープを配置する。そして、クッション材４０に形成した挿通孔３９を筒状本体に形成した取付孔３０に合わせ、小ねじ３２を挿通した後、締付部材３４により、筒状本体２２との間に締付けベルト２８を固定する。クッション材４０の外側端部４０ｂを折り返して厚肉部材３８および小ねじ３２の頭部を覆う。これにより、クッション材４０で覆われた小ねじ３２の頭部が、筒状部材２２の内面から突出し、元竿管１６を支える受部を形成する。そして、この小ねじ３２の頭部で形成される受部よりも突出した突出部３６が、筒状部材２２の後端側に形成される。
【００１９】
一方、筒状部材２２の先端部には、装飾を兼ねたキャップ４２を取付け、先端開口から穂先竿１４等が突出するのを防止することが好ましい。このキャップ４２は、筒状本体２２およびルアーロッド１８の先端部を保護するために、金属あるいは硬質樹脂等の硬質部材で形成することが好ましい。なお、厚肉部材３８は、図４に示すような矩形形状に限らず、円形、楕円形あるいは多角形状等の適宜の形状に形成することが可能である。
【００２０】
本実施形態の竿管保護カバー２０では、締付けベルト２８を固定する小ねじ３２の頭部をクッション材４０で覆うことで形成した受部と、これよりも基端側で高く突出する突出部３６とが、筒状本体２２の基端部でその幅方向の中央部で、軸線方向に沿って整合した状態に配置される。このため、側部開口２４を介して元竿管１６の先端部を受入れ、締付けベルト２８で固定したときに、この元竿管１６が小ねじ３２の頭部で形成される受部と、これよりも基端側の突出部３６とに当接して支えられる。受部が筒状本体の内面から突出する高さは、突出部３６よりも低いため、元竿管１６は、その軸線１６ａが、図１に示すように、穂先側でスリット２６から離隔する方向に傾けた状態で固定される。
【００２１】
収納状態のルアーロッド１８の元竿管１６の先端部に、このように竿先保護カバー２０を取付けた状態では、この元竿管１６の玉口部から突出する中竿１２ａ〜１２ｄおよび穂先竿管１４も、筒状本体２２内でスリット２６から離隔する方向に傾斜した状態に配置される。穂先竿管１４に取付けられたトップガイド１０は筒状本体２２内に収容された筒状本体２２内に配置され、各中竿管１２ａ〜１２ｅに取付けられた釣糸ガイド８ａ〜８ｅはスリット２６を介して外部に突出する。図１では、穂先側の中竿管１２ａ，１２ｂの釣糸ガイド８ａ，８ｂがスリット２６内に位置する状態で示してあるが、元竿管１６が上述のように傾斜して保持される限り、筒状本体２２内に位置しあるいは他の釣糸ガイド８ｃ〜８ｅと同様に外方に突出してもよい。
【００２２】
竿先保護カバー２０をこのように取付けた状態では、釣糸ガイド８ａ〜８ｅがスリット２６に挿通されているため、このスリット２６により中竿管１２ａ〜１２ｅの回動が規制される。また、中竿管１２ａ〜１２ｅおよび穂先竿管１４が先端側に向けて軸方向に移動すると、筒状本体２２の内面に当接し、それ以上の移動が規制される。更に、先端部に取付けたキャップ４２は、穂先竿管１４およびこれに隣接する中竿管１２ａが先端開口から抜出るのを防止する。
【００２３】
なお、図７および図８に示すように、締付けベルト２８の取付け位置は、筒状本体２２上で調整可能とすることもできる。例えば、図７に示すように複数の取付孔３０、あるいは、図８に示すように長孔により取付孔３０を筒状本体２２に形成してもよい。いずれの場合も、収納時に元竿管１６から突出する中竿管１２ａ〜１２ｅおよび穂先竿管１４の突出長さ等の寸法に応じて、締付けベルト２８の取付位置を容易に調整することができる。他の点は上述の実施形態と同様である。
【００２４】
【発明の効果】
以上明らかなように、本発明によれば、釣竿に安定した状態で確実に装着することができると共に、元竿管内に収容される小径竿管および釣糸ガイドの損傷を防止することができる竿先保護カバーが提供される。
【図面の簡単な説明】
【図１】本発明の好ましい実施形態による竿先保護カバーをルアーロッドに取付けた状態の縦断面図。
【図２】図１に示す竿先保護カバーを示し、（Ａ）は平面図、（Ｂ）はＢ−Ｂ線に沿う断面図、（Ｃ）はＣ−Ｃ線に沿う断面図。
【図３】図１に示す竿先保護カバーの締付けベルトの取付部の拡大断面図。
【図４】突出部を形成する厚肉部材を示し、（Ａ）は平面図、（Ｂ）はＢ−Ｂ線に沿う側面図。
【図５】クッション材を示し、（Ａ）は平面図、（Ｂ）はＢ−Ｂ線に沿う側面図。
【図６】クッション材に取付ける両面粘着テープの配置を示し、（Ａ）は一側面側、（Ｂ）は他側面側の説明図。
【図７】変形例による竿先保護カバーの底面図。
【図８】他の変形例による竿先保護カバーの底面図。
【符号の説明】
２０…竿先保護カバー、２２…筒状本体、２４…側部開口、２６…スリット、２８…締付けベルト。
【図１】
2004089019.tif 000003
【図２】
2004089019.tif 000004
【図３】
2004089019.tif 000005
【図４】
2004089019.tif 000006
【図５】
2004089019.tif 000007
【図６】
2004089019.tif 000008
【図７】
2004089019.tif 000009
【図８】
2004089019.tif 000010